(57)【要約】【課題】本発明は、記録再生速度やデータ転送速度の向上を可能とする磁気ヘッド、光ヘッド、光・磁気複合ヘッドとそれを用いた記録再生装置を提供することを目的とする。【解決手段】記録・再生を行う情報を無線通信により行う手段を備えることを特徴とする磁気ヘッド、光ヘッド及び光・磁気複合ヘッド及びそれらを備えてなることを特徴とする記録再生装置からなる。【選択図】　図１
2004046940.tif 000002
【特許請求の範囲】
【請求項１】
記録再生素子が媒体に対して、情報の記録・再生を行う記録再生ヘッドにおいて、
上記情報の送受信を無線通信により行う無線通信手段を備えることを特徴とする記録再生ヘッド。
【請求項２】
上記記録再生素子は、磁場により、情報の記録・再生を行うようになっていることを特徴とする請求項１記載の記録再生ヘッド。
【請求項３】
上記記録再生素子は、光または熱により情報の記録・再生を行うようになっていることを特徴とする請求項１記載の記録再生ヘッド。
【請求項４】
上記記録再生素子は、磁場と光または熱とにより情報の記録・再生を行うようになっていることを特徴とする請求項１記載の記録再生ヘッド。
【請求項５】
上記無線通信手段がモノリシックマイクロ波集積回路により形成されてなることを特徴とする請求項１〜４のいずれか１項に記載の記録再生ヘッド。
【請求項６】
さらに、記録再生プリアンプを備えていることを特徴とする請求項１〜５のいずれか１項に記載の記録再生ヘッド。
【請求項７】
無線通信手段が上記記録再生素子に貼着されていることを特徴とする請求項１〜６のいずれか１項に記載の記録再生ヘッド。
【請求項８】
上記無線通信手段が上記記録再生素子と一体的に形成されてなることを特徴とする請求項１〜６のいずれか１項に記載の記録再生ヘッド。
【請求項９】
さらに、上記記録再生素子および無線通信手段の少なくとも一方への給電を無線通信により行うための受電部が設けられていることを特徴とする請求項１〜８のいずれか１項に記載の記録再生ヘッド。
【請求項１０】
記録再生素子により媒体に情報の記録・再生を行う記録再生ヘッドを備えた記録再生装置であって、
上記記録再生ヘッドは、上記情報の送受信を無線通信により行う無線通信手段を備えており、
さらに、上記無線通信手段との間で、無線通信にて情報のやり取りを行う第２無線通信手段を備えることを特徴とする記録再生装置。
【請求項１１】
上記記録再生ヘッドが、磁気と熱または光とにより、情報の記録・再生を行う光・磁気複合ヘッドであり、
磁気ヘッドとの無線通信と、光ヘッドとの無線通信とで異なる周波数を割り当てることを特徴とする請求項１０記載の記録再生装置。
【請求項１２】
外部と電磁遮蔽されていることを特徴とする請求項１０または１１に記載の記録再生装置。
【発明の詳細な説明】
【０００１】
【発明の属する技術分野】
本発明は光、磁気、または光と磁気との双方により情報を記録再生するヘッドおよび該ヘッドを備える記録再生装置に関するものである。
【０００２】
【従来の技術】
近年、ＤＶＤ（Ｄｉｇｉｔａｌ−Ｖｅｒｓａｔｉｌｅ−Ｄｉｓｋ）や光磁気ディスクなどの光メモリの記録密度は数Ｇｂｉｔ／ｉｎ２に達している。また、ハードディスク（以下、ＨＤＤと略する）に代表される磁気メモリにおいては、その記録密度は３０Ｇｂｉｔ／ｉｎ２を超えており、動画等を収めることを目的とした、いわゆるホームサーバ用ストレージデバイスとしての開発が精力的に行われている。
【０００３】
加えて、１００Ｇｂｉｔ／ｉｎ２以上の更なる高密度化を目指した、光メモリと磁気メモリとの技術を融合した新しい高密度メモリ、例えば、特許公報（特許番号Ｎｏ．２６１７０２５）に開示の光アシスト磁気メモリ、なども提案されるに至り、その高密度化の勢いは加速している。このようなメモリを実用化する際に必要となる光・磁気複合ヘッドとしては、例えば、特開２００１−３１９３６５号公報に開示のものが知られている。
【０００４】
一方、これらディスクメモリの記録密度の向上に伴い、情報の記録再生速度やデータ転送速度の向上が必須となる。例えば、現在ＨＤＤでは製品レベルで１００Ｍｂｐｓといったデータ転送速度の高速化が図られており、今後、上記のような１００Ｇｂｉｔ／ｉｎ２を凌ぐ高密度メモリの高密度化にともなって、記録再生速度やデータ転送速度の今まで以上の高速化が重要となってくる。
【０００５】
記録再生速度やデータ転送速度が低い場合には電気信号の波長が配線に比べて十分長いために配線のどこでも信号は振幅、位相ともに一様であるとして取扱うことができるために特に問題はなかった。例えば１００ＭＨｚの信号では、λ（波長）＝Ｃ（光速度）／ν（周波数）の関係から波長λは３ｍとなり数ｃｍの配線に比べて十分長く集中定数回路としての取り扱いで十分である。
【０００６】
【発明が解決しようとする課題】
しかしながら、記録再生速度やデータ転送速度のより一層の高速化を図るべく使用する電気信号の周波数νを高くするとその電気信号（電磁波）の波長λが短くなる。例えば１ＧＨｚの周波数νでは波長λは３０ｃｍとなる（実際には基板あるいは信号線周りの比誘電率が１より大きいので波長λは短くなる）。
【０００７】
このような場合、信号の周波数が高くなり、配線長と電気信号の波長との比が無視できない領域では位相が変化し遅延が発生するために整合がとれなくなり反射がおこる結果、信号波形が乱れ最終的には信号の伝達が不可能となる。
【０００８】
ここで、どれぐらい信号が劣化するか１ＧＨｚの信号（波長λ＝３０ｃｍ）を例にとり、簡単のため、記録再生ヘッドから記録再生回路までの配線長Ｌを３．７５ｃｍとして説明をする。回路から出た信号をＶ０、磁気ヘッドに伝わる信号をＶ１とし、次式から信号の振幅、位相がどのように変化するかを見積もる。
【０００９】
Ｖ１＝Ｖ０ｃｏｓ（配線長Ｌ／波長λ×２π）
ここでＬ＝３．７５ｃｍ、λ＝３０ｃｍ、を用いると信号Ｖ１の位相は４５度ずれることになり、その結果振幅は７０％（＝１／√２）、すなわち３ｄＢ劣化することがわかる。
【００１０】
例えば、一般に、磁気ヘッドにおいては４本の配線が、磁気ヘッドが実装されているサスペンション上を介して記録再生プリアンプまで接続されて記録再生信号処理を行っているがその配線長は数ｃｍに及ぶ。それに加えて、高密度記録の実現に不可欠な、磁気再生ヘッドとして有望視されるＴＭＲ（トンネル磁気抵抗）ヘッドでは、その抵抗値の高さがインピーダンスを高くすることから一層深刻な問題となる。
【００１１】
また、ＤＶＤなどの光メモリに用いられる光ヘッドでは、上記磁気ヘッドと比べてより多くの配線、例えば、十数本の配線が必要であり、また、光磁気および光アシスト磁気メモリに用いられる光と磁気の複合ヘッドにおいては、さらに配線が増えることから、浮上ヘッドへの実装の困難に加えて光信号と磁気信号の干渉などの問題が生じる。
【００１２】
従って、記録再生ヘッドと情報をやりとりする回路（情報処理手段）までの配線長に起因する信号劣化のため、記録・再生情報の記録再生速度や記録・再生情報の転送速度が向上できないという問題が生じる。
【００１３】
本発明は、上記課題を解決するためになされたものであり、記録再生速度やデータ転送速度の向上を可能とする磁気ヘッド、光ヘッドおよび光・磁気複合ヘッドとそれを備える記録再生装置とを提供することを目的とする。
【００１４】
【課題を解決するための手段】
本願発明者らは、磁気ヘッド、光ヘッドおよび光・磁気複合ヘッドと記録再生信号処理を行う回路部（記録再生プリアンプ）との間の距離は、ディスク径（具体的には、光ディスクでは１２ｃｍ、磁気ディスクでは２．５インチ、３．５インチなど）により規定される物理的縮小限界があることに着目して、以下に示す磁気ヘッド、光ヘッド、光・磁気複合ヘッドとそれを用いた記録再生装置の発明に至った。
【００１５】
すなわち、本発明の記録再生ヘッドは、上記の課題を解決するために、記録再生素子が媒体に対して、情報の記録・再生を行う記録再生ヘッドにおいて、上記情報の送受信を無線通信により行う無線通信手段を備えることを特徴としている。
【００１６】
記録再生ヘッドとは、記録再生素子により媒体から情報の読み出し、または、媒体への情報の書き込みを行うものである。そして、磁場にて、情報の記録・再生を行うものを磁気ヘッドと称する。また、光または熱により、情報の記録・再生を行うものを光ヘッドと称する。また、磁場と光または熱とにより、情報の記録・再生を行うものを光・磁気複合ヘッドと称する。
【００１７】
上記記録再生素子とは、情報（信号）を媒体に書き込むものであり、また、媒体から情報（信号）を読み取るものである。具体的には、例えば、磁気ヘッドの場合には、記録再生素子は、磁気コイル、磁気ヘッド等により構成されており、光ヘッドの場合には、記録再生素子は、集光レンズ、半導体レーザ等により構成されている。また、光・磁気複合ヘッドの場合には、記録再生素子は、上記磁気ヘッドおよび光ヘッドのそれぞれの記録再生素子から構成されている。
【００１８】
上記無線通信手段とは、例えば、記録再生プリアンプ等の情報処理手段から送信されてくる、媒体へ記録する記録情報を無線通信により受信する手段であり、かつ、上記情報処理手段へ媒体から読み出した再生情報を無線通信により送信する手段である。つまり、上記無線通信手段とは、情報処理手段との間で、記録情報および再生情報を無線通信によってやり取りする手段である。
【００１９】
また、上記情報とは、媒体へ記録する情報および媒体から読み出された情報を示している。つまり、上記情報とは、記録情報と再生情報とを含んでいる。
【００２０】
上記情報処理手段とは、上記記録再生ヘッドから送られてくる再生情報（再生信号）および上記記録再生ヘッドへ送信する記録情報（記録信号）を処理するものである。上記情報処理手段には、具体的には、例えば、記録再生プリアンプ等が含まれる。
【００２１】
また、上記媒体とは、例えば、光ディスクおよび磁気ディスク等が挙げられる。また、「記録・再生」とは、記録および／または再生を示す。
【００２２】
上記の構成によれば、記録再生ヘッドは、例えば、情報処理手段との間で、記録・再生情報のやり取りを無線通信にて行う無線通信手段を備えている。従って、従来の情報処理手段との間を配線（有線）にて、情報のやり取りをしている記録再生ヘッドの構成と比べて、必要とする配線の長さを短くする、または、配線を無くすことができる。これにより、本発明にかかる記録再生ヘッドは、配線長に起因する信号劣化がないので、従来と比べて著しく高い記録再生速度およびデータ転送レートを実現することができる。
【００２３】
具体的には、上記の構成によれば、無線通信手段と情報処理手段との間の、記録再生情報のやり取りは、無線通信にて行っている。無線通信の場合、有線で上記情報をやり取りする場合に比べて、特に、高周波成分の信号を劣化させることなく送信することができる。従って、高速に情報の記録再生を行う場合には、記録再生ヘッドと情報処理手段との間の、配線（有線）の長さを短くする、または、配線を無くすことで、高周波成分の信号（記録再生情報）の劣化を抑制することができる。
【００２４】
従って、上記情報処理手段との間で、記録情報および再生情報を高速にやり取りすることができる記録再生ヘッドを提供することができる。すなわち、配線長に起因する信号劣化なく高い記録再生速度やデータ転送レートの向上を実現する記録再生ヘッドとそれを用いた記録再生装置を実現できる。
【００２５】
また、記録再生ヘッドが備えている無線通信手段と情報処理手段との間の、記録再生情報のやり取りを無線通信で行うことにより、情報処理手段の配置の自由度を向上させることができる。
【００２６】
本発明の記録再生ヘッドは、さらに、上記記録再生素子は、磁場により、情報の記録・再生を行うようになっている構成がより好ましい。
【００２７】
上記の構成によれば、記録再生速度およびデータ転送速度の高速化を実現することができる磁気ヘッド（記録再生ヘッド）を提供することができる。
【００２８】
本発明の記録再生ヘッドは、さらに、上記記録再生素子は、光または熱により情報の記録・再生を行うようになっている構成がより好ましい。
【００２９】
上記の構成によれば、従来の記録再生ヘッドと比べて、記録再生ヘッドと情報処理手段との間を接続している配線をより少なくすることができるので、浮上型の光ヘッド（記録再生ヘッド）の実現がより容易になる。
【００３０】
また、従来のように光ヘッドのように十数本にも及ぶ配線を少なくする、または、無くすことができるので、浮上型光ヘッドの実現が簡単になる。また、通常の光メモリのみならずボリュームホログラフィックメモリのような３次元光メモリにおいても高速の記録再生やデータ転送レートを可能にする光ヘッドおよび記録再生装置を提供することができる。
【００３１】
本発明の記録再生ヘッドは、さらに、上記記録再生素子は、磁場と光または熱とにより情報の記録・再生を行うようになっている構成がより好ましい。
【００３２】
上記記録再生素子が、磁場と光または熱とにより情報の記録・再生を行う記録再生ヘッドを光・磁気複合ヘッドと称する。この光・磁気複合ヘッドは、例えば、光ヘッドと磁気ヘッドとからなる。
【００３３】
上記の構成によれば、無線通信により、光信号および磁気信号を送受信することにより、光信号と磁気信号との干渉を抑制することができる。
【００３４】
さらに、もっとも高密度化が期待される、媒体が光アシスト磁気メモリである場合にも、より高速の記録再生やデータ転送レートを可能にする光・磁気複合ヘッドおよび記録再生装置を提供することができる。
【００３５】
本発明の記録再生ヘッドは、さらに、上記無線通信手段がモノリシックマイクロ波集積回路により形成されてなる構成がより好ましい。
【００３６】
上記の構成によれば、上記無線通信手段がモノリシックマイクロ波集積回路により形成されてなっている。モノリシックマイクロ波集積回路（ＭＭＩＣ）は、１個の半導体チップ内に、複数の素子および高周波用平面回路等の配線が一体的に構成されているので、大きさが小さい。これにより、簡単に記録再生ヘッドに備えられる無線通信手段を構成することができる。
【００３７】
本発明の記録再生ヘッドは、さらに、記録再生プリアンプを備えている構成がより好ましい。
【００３８】
上記の構成によれば、記録再生ヘッドがさらに、記録再生プリアンプを備えることにより、記録再生ヘッドから送受信される信号を増幅した状態での出力が可能となる。
【００３９】
また、例えば、モノリシックマイクロ波集積回路と記録再生プリアンプを一体化することにより、より小型化され、かつ、高速の記録再生やデータ転送レートを可能にする、記録再生ヘッドおよび記録再生装置を提供することができる。
【００４０】
本発明の記録再生ヘッドは、さらに、無線通信手段が上記記録再生素子に貼着されている構成がより好ましい。
【００４１】
上記の構成によれば、無線通信手段をヘッド部に貼りあわせることにより、記録再生ヘッドを形成しているので、より簡単に、本発明の記録再生ヘッドを作製することが可能となる。
【００４２】
また、無線通信手段を貼りあわせにより実装することにより基板や磁気ヘッドの材料などによらずに高速の記録再生やデータ転送レートを可能にする光・磁気複合ヘッドおよび記録再生装置が実現できる。
【００４３】
本発明の記録再生ヘッドは、さらに、上記無線通信手段が上記記録再生素子と一体的に形成されてなる構成がより好ましい。
【００４４】
上記の構成によれば、無線通信手段とヘッド部とが一体的（モノリシック）に形成されて構成されているので、より小型化した記録再生ヘッドを実現できる。
【００４５】
本発明の記録再生ヘッドは、さらに、上記記録再生素子および無線通信手段の少なくとも一方への給電を無線通信により行うための受電部が設けられている構成がより好ましい。
【００４６】
上記の構成によれば、上記記録再生素子および無線通信手段の少なくとも一方への給電を無線通信により行うことができる。これにより、記録再生ヘッドから延びる配線の本数をより減らすことができる。また、記録再生素子および無線通信手段の両方への給電を無線通信で行うことにより、記録再生ヘッドから延びる配線を無くすことが可能になる。
【００４７】
また、ヘッド部に形成されてなる記録再生素子への給電も配線なしに行うことが実現できる。
【００４８】
本発明の記録再生装置は、上記の課題を解決するために、記録再生素子により媒体に情報の記録・再生を行う記録再生ヘッドを備えた記録再生装置であって、上記記録再生ヘッドは、上記情報の送受信を無線通信により行う無線通信手段を備えており、上記無線通信手段との間で、無線通信にて情報のやり取りを行う第２無線通信手段を備えることを特徴としている。
【００４９】
上記第２無線通信手段とは、記録再生装置の内部に設けられており、記録再生ヘッドに設けられている無線通信手段と、無線通信により情報をやり取りするものである。
【００５０】
上記の構成によれば、記録再生ヘッドにより読み出された情報、または、書き込まれる情報を無線通信手段と第２無線通信手段との間の、情報を無線通信でおこなっている。これにより、情報を無線通信でやり取りすることにより、従来の配線（有線）で情報のやり取りを行う構成に比べて、特に高周波成分の情報（信号）の劣化（信号の歪み）を抑制することができる。従って、記録再生速度やデータ転送速度の高速化を図ることができる。
【００５１】
本発明の記録再生装置は、さらに、上記記録再生ヘッドが、磁気と熱または光とにより、情報の記録・再生を行う光・磁気複合ヘッドであり、磁気ヘッドとの無線通信と、光ヘッドとの無線通信とで異なる周波数を割り当てる構成がより好ましい。
【００５２】
上記の構成によれば、磁気ヘッドとの情報のやり取りを行う無線通信と、光ヘッドとの情報のやり取りを行う無線通信とで、用いる周波数を異ならせる、具体的には、磁気ヘッドへの信号と光ヘッドへの信号とで異なる周波数を割り当てて通信することにより、情報（信号）の干渉（混線）を防止することができる。
【００５３】
本発明の記録再生装置は、さらに、外部と電磁遮蔽されている構成がより好ましい。
【００５４】
上記の構成によれば、本発明にかかる記録再生装置は、外部と電磁遮蔽（電磁シールド）されている。これにより、例えば、周囲のコンピュータ機器や無線機器との信号の干渉を防止することができる。
【００５５】
また、記録再生ヘッドと無線通信により情報をやりとりする第２無線通信手段を電磁シールドされた記録再生装置内部に設置することで、周囲に電磁波ノイズを放射することなく、また外部の電磁波による信号劣化や誤動作の発生することなく高速の記録再生やデータ転送レートを可能にする光・磁気複合ヘッドおよびそれを用いた記録再生装置が実現できる。
【００５６】
【発明の実施の形態】
〔実施の形態１〕
本発明の実施の一形態について図１ないし図４および図９ないし図１１に基づいて説明すれば、以下の通りである。
【００５７】
まず、従来の磁気ヘッド、ここでは、ＨＤＤに使用される磁気ヘッドと記録再生信号処理を行う回路部（例えば、記録再生プリアンプ）とについて簡単に説明する。従来磁気ヘッドと記録再生プリアンプとの概略の構成は、図９、図１０に示すように、磁気ヘッド３０と記録再生プリアンプ４０とが配線されている。そして、磁気ヘッド３０は磁気記録再生部が形成されたスライダからなっている。そして、上記磁気ヘッド３０とスライダを実装したサスペンション３１とを併せて、これをヘッドジンバルアッセンブリ（以下、ＨＧＡと称する）３２と呼ぶ。また、ＨＧＡ３２は、磁気ヘッド３０の移動をおこなうヘッドアクチュエータ３４にサスペンション３１を介して接続される。磁気ヘッド３０への配線３３は、図１１に示すようにＨＧＡ３２のサスペンション３１上に配置され、さらにヘッドアクチュエータ３４を経由して記録再生プリアンプ４０に接続される。この磁気ヘッド３０から記録再生プリアンプ４０までの配線３３は数ｃｍの長さとなる。一方、電磁波の波長と周波数との関係から波長１ｃｍの電気信号は３０ＧＨｚの周波数に対応する。従って、磁気ヘッド３０から記録再生プリアンプ４０までの配線３３により、信号の歪みが生じることとなる。すなわち、本願発明者らは、従来の磁気ヘッド３０では、磁気ヘッド３０から記録再生プリアンプ４０までの数ｃｍの配線長が信号の歪みなどの要因となり、記録再生速度やデータ転送速度の向上に限界をもたらすことを見出した。
【００５８】
すなわち、本実施の形態にかかる記録再生ヘッドは、記録再生素子が媒体に対して、情報の記録・再生を行う記録再生ヘッドにおいて、上記情報の送受信を無線通信により行う無線通信手段を備える構成である。
【００５９】
また、本実施の形態にかかる記録再生装置は、情報を記録する媒体と、記録再生素子により情報の記録・再生を行う記録再生ヘッドとを備えた記録再生装置であって、上記記録再生ヘッドは、上記情報の送受信を無線通信により行う無線通信手段を備えており、上記記録再生装置は、上記無線通信手段との間で、無線通信にて情報のやり取りを行う第２無線通信手段を備える構成である。
【００６０】
以下の説明では、記録再生素子が磁場により情報の記録・再生を行う構成、すなわち、磁気ヘッドの構成について説明する。なお、以下の説明において、「情報」とは、「信号」の集まったものである。つまり、例えば、磁気ヘッドが、読み出した（再生した）信号が集まって情報となる。また、磁気ヘッドは、情報を信号として媒体に書き込んでいる。
【００６１】
本実施の形態にかかる記録再生ヘッド（以下、磁気ヘッドと称する）１０は、図１に示すように、無線通信手段１および記録再生素子２とからなる。そして、上記無線通信手段１と記録再生素子２とは配線３により接続されている。
【００６２】
本実施の形態では、上記無線通信手段１と記録再生素子２とは隣接させており、上記配線３の長さは、従来と比べて、著しく短い。具体的には、上記配線３の長さを１ｍｍ以下とすることができる。
【００６３】
上記無線通信手段１とは、例えば、記録再生プリアンプ等の情報処理手段から送信されてくる、媒体へ記録する記録情報（信号）を無線通信により受信する手段であり、かつ、上記情報処理手段へ媒体から読み出した再生情報（信号）を無線通信により送信する手段である。つまり、上記無線通信手段１とは、情報処理手段との間で、記録情報および再生情報を無線通信によってやり取りする手段である。従って、無線通信手段１には、図示しない、送信手段と受信手段とが備えられている。上記送信手段とは、記録再生素子２が、媒体から読み取った信号（情報）を無線通信にて送信する手段である。また、受信手段とは、記録再生素子２が、媒体に書き込む信号（情報）を無線通信にて受信する手段である。
【００６４】
無線通信手段１は、具体的には、例えば、モノリシックマイクロ波集積回路（以下、ＭＭＩＣと称する）で形成されていることがより好ましい。モノリシックマイクロ波集積回路は、１個の半導体チップ内に、複数の素子および高周波用平面回路等の配線が一体的に構成されているので、大きさが小さい。従って、例えば、無線通信手段１を記録再生素子２に貼りあわせて、磁気ヘッド１０を構成した場合でも、該磁気ヘッド１０の大きさを小さくすることが可能である。
【００６５】
上記記録再生素子２とは、情報を媒体に書き込むものであり、また、媒体から情報を読み取るものである。具体的には、例えば、磁気ヘッド１０の場合には、記録再生素子は、磁気コイル、磁気ヘッド等により構成されている。記録再生素子２については、公知であり、詳細な説明は省略する。
【００６６】
そして、上記記録再生素子２は、スライダに実装されている。スライダは、記録再生素子２を保持するものである。
【００６７】
本実施の形態にかかる記録再生装置は、図２に示すように、上記磁気ヘッド１０と、該磁気ヘッド１０が備えている無線通信手段１と、無線通信にて情報（信号）のやり取りを行うことができる第２無線通信手段を備えている。この第２無線通信手段は、情報処理回路（情報処理手段）２０と接続されており、本実施の形態では、第２無線通信手段と情報処理回路２０とが一体となっている。そして、上記磁気ヘッド１０は、記録再生装置に備えられている媒体（ここでは磁気記録媒体）２１に情報を記録、または、媒体２１に記録された情報を再生（読み出す）するようになっている。また、本実施の形態では、磁気ヘッド１０、情報処理回路２０および媒体２１は、筐体２２に収められている。
【００６８】
上記情報処理回路２０とは、磁気ヘッド１０から送信されてくる情報または磁気ヘッド１０に送信する情報を処理するものである。具体的には、例えば、上記情報処理回路２０は、磁気ヘッド１０から送信されてくる信号を増幅したりするものである。すなわち、上記情報処理回路２０には、記録再生プリアンプ等が含まれる。
【００６９】
媒体２１は、情報を記録するものである。記録再生ヘッドが磁気ヘッドの場合には、磁気記録媒体が用いられる。なお、本実施の形態では、磁気ディスクを用いている。
【００７０】
筐体２２は、少なくとも、磁気ヘッド１０、第２無線通信手段および媒体２１を収容している。上記筐体２２を構成する材料としては、特に限定されるものではなく、例えば、アクリル版や金属等が用いられる。図３に示すように、上記筐体２２を全部、金属７で構成することにより、電磁波の漏れを防止することができる。特に、本発明は、記録再生ヘッドに備えられている無線通信手段１により、無線通信を行うため、筐体２２内部と外部とで、電磁波の干渉を防止する必要がある。従って、筐体２２を構成する材料として、例えば、金属等の外部と電磁遮蔽が可能な材料を用いることがより好ましい。これにより、外部の電磁波と筐体２２内で発生する電磁波との干渉を防止することができる。
【００７１】
以下に、本実施の形態をさらに詳細に説明する。
【００７２】
本実施の形態では、記録再生素子２に無線給電による無線通信が可能なＭＭＩＣを貼りあわせることにより磁気ヘッド１０を構成した。具体的には、図１に示すように、まず、スライダ上にＭＭＩＣを貼りあわせにより実装する。そして、スライダに保持された記録再生素子２をＭＭＩＣと配線する。このときの配線長は１ｍｍ以下である。このスライダにＭＭＩＣを貼りあわせたものをサスペンション５に実装してＨＧＡ６を作製し、ヘッドアクチュエータに実装した。情報処理回路２０の一部である、記録再生プリアンプは、磁気ヘッド１０との無線通信をおこなう第２無線通信手段（ここではＭＭＩＣ）を接続し、筐体２２内部に設置した（図２参照）。これにより、記録再生装置（ここではＨＤＤ）を構成した。そして、ＭＭＩＣには動作周波数２．４ＧＨｚのものを用いた。なお、本実施の形態にかかる磁気ヘッド１０には、上記ＭＭＩＣに無線通信にて給電を可能にするための受電部が備えられている。具体的には、磁気ヘッド１０は、上記無線通信手段１とは別の、無線通信受信手段を備えている。そして、この無線通信受信手段により、送信されてきた無線通信を電力に変換することにより、給電を行うことができる。
【００７３】
そして、上記構成の記録再生装置を用いて、上記筐体２２の上蓋を金属蓋で閉じて磁気信号の記録再生評価を行った。
【００７４】
記録再生周波数として４００ＭＨｚ、データ転送レートとして１Ｇｂｐｓ（ｂｉｔ　ｐｅｒ　ｓｅｃｏｎｄ）の試験を行ったところ、再生波形の歪みはほとんど見られなかった。さらに、データ転送レートとして１．２Ｇｂｐｓの試験を行ったが全く再生波形の歪みはなくデータ転送レートの向上が実現されることが明らかとなった。これは、磁気ヘッド１０と情報処理回路２０との間を無線通信により情報（信号）のやり取りを行うことにより、従来の数ｃｍもの配線長に起因する様々な信号劣化が除かれたことによると考えられる。
【００７５】
ここでは、これより高いデータ転送レートでの試験は媒体の性能及び記録再生評価器の性能限界により行えなかったため上限は見極めることはできなかったが、無線通信の使用帯域までのデータ転送レートの向上が可能である。
【００７６】
また、ここで用いたＭＭＩＣは動作周波数が２．４ＧＨｚであるが、さらに動作周波数の高いＭＭＩＣ、例えば６０ＧＨｚのＭＭＩＣ、を使用することでより記録再生速度及びデータ転送レートの向上を図ることが可能となる。
【００７７】
なお、複数の磁気ヘッド１０を使用して並列に記録再生を行う場合には、磁気ヘッド１０の本数に応じてチャネル数が増加する。このため、磁気ヘッド１０の１本あたりのデータ転送レートが１Ｇｂｐｓであり、該磁気ヘッドを４本並列に使用する場合には、シリアルにデータ変換して転送するには４倍して４Ｇｂｐｓのデータ転送レートが必要となる。この場合には、例えば、動作周波数が５ＧＨｚのＭＭＩＣを使用することにより、このような並列再生による高速なデータ転送にも対応することが可能となる。また、動作周波数をさらに上げることで、より多チャンネルの転送も可能となる。勿論、パラレルのままデータを無線通信することも可能である。なお、上記のように、多チャンネルにて、信号を処理する場合には、多チャンネル信号処理を行うことができる手段、例えば、多チャンネル信号処理の半導体素子が必要である。
【００７８】
また、本実施の形態にかかる記録再生装置では、情報処理回路２０と第２無線通信手段とが一体に形成されている例について説明したが、これらは別々に構成されていてもよい。そして、情報処理回路２０の内、例えば、記録再生プリアンプ等については、磁気ヘッド１０と一体に形成することができる。
【００７９】
具体的には、上記の説明では、記録再生プリアンプは、磁気ヘッド１０上には実装せずに筐体２２内に設置する例を説明した。しかし、無線通信手段１のみならず記録再生プリアンプや上述の多チャンネル信号処理を行う、例えばＳｉからなる半導体素子をも磁気ヘッド１０に集積化することも可能である。また、記録再生素子２、記録再生プリアンプへの給電も無線通信により可能となる。この記録再生素子２および／または記録再生プリアンプへの給電は、上記無線通信受信手段により行えばよい。
【００８０】
上記ＭＭＩＣに使用される半導体素子としては、ＧａＡｓやＧａＮ、などの化合物半導体に限ることなく、動作速度が高速であればＳｉ、ＳｉＣ、Ｓｉ１−ｘＧｅｘなどからなる他の半導体素子を使用することが可能である。この場合には無線通信手段１と記録再生プリアンプを含む情報処理回路２０との一体化が可能となるためより一層の小型化が達成される。
【００８１】
また、図４に示したように、上蓋の材料をアクリル８に変えた構成も考えられる。この場合には、アクリル８は、電磁遮蔽性ではないので、無線通信手段１から発生する電磁波が周囲に漏れる恐れがある。従って、完全に外部と電磁遮蔽する必要がある場合には、図３に示すように、金属７で電磁遮蔽した筐体２２を用いることにより、電磁波の漏れを防止することができる。これにより、本発明の無線通信手段１を備える磁気ヘッド１０を使用した場合でも、周囲のコンピュータ機器または無線機器との信号干渉がない。また、無線ＬＡＮ（ローカルエリアネットワーク）や携帯電話などによる電磁波が周囲に存在している場合でも、記録再生装置内に、記録再生信号処理を行う回路部（情報処理回路２０）が電磁遮蔽された筐体２２内部に設置されてなることで、信号が干渉されることなく動作可能であることを示している。
【００８２】
以上説明したように、本発明による記録・再生を行う情報（信号）を無線通信により行う無線通信手段を備えることを特徴とする磁気ヘッド１０は、ディスク径によって規定される配線長に起因する問題を克服し、高い記録再生速度やデータ転送レートの向上を実現することが可能となる。
【００８３】
ここでは、磁気ヘッド１０を例にとり説明したが、後述する光ヘッドあるいは磁気・光複合ヘッドを用いた場合にも同様の効果が得られることは説明するまでもない。
【００８４】
また、本実施の形態では無線通信手段１を記録再生素子２（具体的にはスライダ）に貼りあわせることにより実現させたが、特に限定されるものではない。例えば、無線通信手段１をサスペンション５上に実装することも可能である。
【００８５】
また、磁気ヘッド１０に実装された無線通信手段１と情報をやりとりする第２無線通信手段が記録再生装置内部に形成されることにより、装置外部に電磁波を放出することなく、かつ、外部の電磁波による信号干渉などの問題なく使用することが可能となる。
【００８６】
また、従来の、記録再生ヘッドと情報処理手段との間を配線にて接続している構成では、該配線は、記録再生ヘッドの構成上、該記録再生ヘッドからアクチュエータ部を介して、情報処理手段に接続されている。本発明では、磁気ヘッド１０に備えられた無線通信手段１と情報処理手段との間の、情報のやり取りを無線通信にて行っている。従って、情報処理手段の配置位置を自由に設計することができる。また、無線通信は、従来のようにアクチュエータ部を介することなく、直線的に、情報のやり取りを行うことができる。これにより、無線通信により情報（信号）のやり取りを行うことで、磁気ヘッド１０と情報処理手段との間の記録再生情報のやり取りを行う距離を従来よりも短くすることが可能となる。従って、例えば、有線と無線通信とで情報の伝送速度が同じ場合には、情報をやり取りする時間を短くすることができる。
【００８７】
また、本発明にかかる記録再生ヘッドは、媒体上を摺動することにより、情報を記録・再生する構成がより好ましい。記録再生ヘッドが媒体上を摺動するためには、アクチュエータが必要となる。従って、従来の記録再生ヘッドでは、配線長が長くなる。本発明の記録再生ヘッドは、上記無線通信手段１を備えているので、記録再生ヘッドから情報処理手段への情報のやり取りを無線通信にて行うことができる。従って、従来と比べて、配線長を著しく短くすることができる。
【００８８】
また、本実施の形態にかかる記録再生ヘッドは、媒体に対して、情報の記録・再生を行う記録再生ヘッドにおいて、情報処理手段との間で、記録・再生情報の送受信を無線通信により行う無線通信手段を備える構成であってもよい。
【００８９】
上記の構成によれば、記録再生ヘッドは、媒体上を回動しながら、記録情報の書き込みおよび／または再生情報の読み取りを行っている。従って、記録再生ヘッドと情報処理手段との距離を短くするには、媒体による限界がある。すなわち、従来の記録再生ヘッドと情報処理手段とが配線により接続されている構成において、配線の長さを短くすることには物理的限界がある。本発明では、記録再生ヘッドに備えられた無線通信手段により、記録再生ヘッドと情報処理手段との間の、記録・再生情報のやり取りを無線通信で行っている。従って、上記記録再生ヘッドと無線通信手段との間を配線で接続すればよいので、従来と比べて、記録再生ヘッドと情報処理手段との間の、配線の長さを、短くすることができる。これにより、特に、高周波成分における、配線長に起因する記録・再生情報（信号）の劣化を抑制することができる。従って、高速な記録再生速度やデータ転送速度を実現するために必要な、高周波成分の記録・再生情報（信号）を劣化させることなく送受信することができる記録再生ヘッドを提供することができる。
【００９０】
〔実施の形態２〕
本発明の実施の一形態について図５ないし図６に基づいて説明すれば、以下の通りである。なお、説明の便宜上、前記実施の形態１にて示した各部材と同一の機能を有する部材には、同一の符号を付記し、その説明を省略する。
【００９１】
本実施の形態では、記録再生素子が光または熱により情報の記録・再生を行う構成、すなわち、光ヘッドおよびそれを用いた記録再生装置の構成について説明する。
【００９２】
具体的には、光ヘッドに無線通信手段１をモノリシック（一体）に形成して高速のデータ転送レートを実現した例について説明する。
【００９３】
光メモリに用いられる光ヘッドは通常、発光素子であるレーザーダイオード（以下、ＬＤと称する）部、受光素子、および、集光などを行うレンズ部から構成される。また、フォーカスサーボやトラッキングサーボなどのために光ヘッドの位置をアクチュエータにより制御を行っている。そのため光ヘッドに必要とされる配線は上述の磁気ヘッド１０の場合よりも多く十数本を超える。
【００９４】
すでに述べたように、光メモリは現在のＤＶＤにとどまることなくさらなる高密度化が求められており、それに伴い記録再生速度やデータ転送レートの向上が求められる。この実現のために上記磁気ヘッド１０と同様に浮上型の光ヘッドも研究がなされている。これは、浮上型ヘッドにすることで媒体と光ヘッドの距離を数十ｎｍ以下にできるため近接場光を利用した微小なビットの記録再生を行うことで高密度化を狙うものであり、かつまた、光ヘッドの質量を軽くすることでアクセス速度ひいてはデータ転送レートの高速化を目指すものである。
【００９５】
すなわち、光ヘッドにおいても、従来型はもとより、将来の高密度化を実現する浮上型光ヘッドにおいては十数本もの配線をなくすることが不可欠となる。
【００９６】
本実施の形態にかかる光ヘッドは、ＬＤ、受光素子、レンズ部および無線通信手段から構成されている。なお、上記ＬＤ、受光素子およびレンズ部を併せて記録再生素子２とする。以下に、無線通信手段１がＭＭＩＣにより構成されており、現在ＤＶＤに使用されている赤色ＬＤ（波長６５０ｎｍ）へＭＭＩＣをモノリシックに形成した光ヘッドと、青紫色ＬＤ（波長４０５ｎｍ）へＭＭＩＣをモノリシックに形成した光ヘッドの構成について図５、図６を参照して説明する。
【００９７】
赤色ＬＤにＭＭＩＣをモノリシックに形成する場合、まず、図５に示すように、赤色ＬＤを基板９（例えばｎ−ＧａＡｓ基板）上に形成する。具体的には、基板の上にｎ−ＡｌＧａＩｎＰからなるｎ−クラッド層１１を形成して、その上に、ｎ−ＡｌＧａＩｎＰからなるｎ−ガイド層１２を形成する。そして、ｎ−ガイド層１２の上に、ＩｎＧａＰの量子井戸からなる活性層１３を形成した後、共にＡｌＧａＩｎＰからなるｐ−ガイド層１４、ｐ−クラッド層１５を順に積層して、最上部にコンタクト電極１６を取り付けることにより赤色ＬＤを形成する。その後で、例えば、ＧａＡｓからなるＭＭＩＣをｐ−クラッド層１５の上に形成することにより、赤色ＬＤにＭＭＩＣをモノリシックに形成することができる。ここで、赤色ＬＤの場合には、ＡｌＧａＩｎＰの形成温度が６５０℃程度とＭＭＩＣの形成温度よりも高いので先に赤色ＬＤを形成する必要がある。赤色ＬＤよりも先にＭＭＩＣを形成してしまうと、赤色ＬＤ形成時にＭＭＩＣ形成時の温度よりも高くなってしまうために素子に熱によるダメージが発生してしまう恐れがある。
【００９８】
青紫色ＬＤにＭＭＩＣをモノリシックに形成する場合、青紫色ＬＤの形成にＧａＮを使用するために基板９としては、サファイアやＧａＮを用いる。この場合には、図６に示すように、先にＧａＮからなるＭＭＩＣを先に形成する。その後に活性層１３（例えばＩｎＧａＮ）からなる青紫色ＬＤを形成する。具体的に説明すると、まず基板９の上にＭＭＩＣを形成した後、青紫色ＬＤ（ＭＭＩＣ側から順に、ｎ−クラッド層１１、ｎ−ガイド層１２、活性層１３、ｐ−ガイド層１４、ｐ−クラッド層１５を順に積層）を形成して、ｐ−クラッド層１５の上にコンタクト電極１６を取り付けることにより、青紫色ＬＤにＭＭＩＣをモノリシックに形成することができる。ここで、基板に、ＧａＮからなるＭＭＩＣよりも先に青紫色ＬＤを形成する場合には、例えば、ＩｎＧａＮからなる活性層１３の形成温度が８００℃程度であり、ＧａＮからなるＭＭＩＣの形成温度よりも低いので、青紫色ＬＤにダメージが発生してしまう。つまり、ＭＭＩＣと青紫色ＬＤの形成順序を逆にしてしまうと、青紫色ＬＤにダメージが発生することとなる。
【００９９】
このようにして形成した赤色ＬＤまたは青紫色とＭＭＩＣとを受光素子やレンズ部と組み合わせることにより、本実施の形態にかかる光ヘッドを作製することができる。そして、上記光ヘッドを用いて記録再生装置を構成して、記録再生及びデータ転送レートのテストを行うと、全く再生波形の歪みはなく、データ転送レートの向上が実現されることが明らかとなる。なお、現在使用している光ディスクではその媒体性能からＨＤＤのような高速のデータ転送は実験できないが、無線通信の使用帯域までのデータ転送レートの向上が可能である。
【０１００】
従って、本実施の形態にかかる光ヘッドおよび記録再生装置は、例えば、上述した浮上型の光ヘッドを利用した光メモリに使用するだけではなく、例えば、ボリュームホログラフィックメモリなどのように転送レートの高速化が必要となる３次元光メモリへの使用において特に効果的である。
【０１０１】
以上説明したように本発明による記録・再生を行う情報を無線通信により行う無線通信手段１を備えている光ヘッドを用いることにより、より高い記録再生速度やデータ転送レートの向上を実現することが可能となる記録再生装置を構成することができる。
【０１０２】
また、上記無線通信手段１を記録再生素子２に対してモノリシック（一体）に形成する場合には、該記録再生素子２と上記無線通信手段１とを配線にて接続する必要がない。従って、より一層高速な、記録再生速度およびデータ転送レートを実現することが可能となる
〔実施の形態３〕
本発明の実施の一形態について図７ないし図８に基づいて説明すれば、以下の通りである。なお、説明の便宜上、前記実施の形態１および２にて示した各部材と同一の機能を有する部材には、同一の符号を付記し、その説明を省略する。
【０１０３】
本実施の形態では、記録再生素子が磁気と光または熱とにより情報の記録・再生を行う構成、すなわち、光・磁気複合ヘッドおよびそれを用いた記録再生装置の構成について説明する。
【０１０４】
具体的には、光・磁気複合ヘッドに無線通信手段１を形成し高速のデータ転送レートを実現した例について説明する。
【０１０５】
上記光磁気メモリや、光アシスト磁気メモリなどの熱磁気メモリは、記録ビットの縮小に伴う磁化の熱ゆらぎによる高密度化の限界といった問題を克服することができるので、より一層の高密度化を実現するものとして期待されるとともに、よりいっそう高密度化に伴う記録再生速度やデータ転送レートの高速化が不可欠となる。
【０１０６】
従来の光・磁気複合ヘッドは、熱磁気メモリや光磁気メモリなどにおいてみられるように媒体をはさんで、片側に光ヘッド、反対側に磁気ヘッド１０が配置されてなる構成がよく知られている。
【０１０７】
本実施の形態にかかる光・磁気複合ヘッドとは、媒体に磁気と光または熱との両方により情報を記録するためのヘッドである。従って、本実施の形態にかかる光・磁気複合ヘッドは、光ヘッドと磁気ヘッド１０とが別々に構成されていてもよく、両方のヘッドが一体となって構成されていてもよい。
【０１０８】
本実施の形態にかかる光・磁気複合ヘッドにおいて、媒体を介して、一方に光ヘッド、他方に磁気ヘッド１０を配置する場合、すなわち、光ヘッドと磁気ヘッド１０とが別々に構成されている場合には、それぞれのヘッドに無線通信手段１が形成されている。上記無線通信手段１の形成方法としては、例えば、磁気ヘッド１０と光ヘッドとのそれぞれの記録再生素子２に無線通信手段１を貼り付けてもよく、また、それぞれの記録再生素子２に対して無線通信手段１をモノリシックに形成してもよい。また、磁気ヘッド１０と光ヘッドとのうちの一方のヘッドに無線通信手段１を貼り付けるとともに、他方のヘッドに対して無線通信手段１をモノリシックに形成してもよい。
【０１０９】
一方、媒体両面に記録を行うためには光ヘッドと磁気ヘッド１０を一体化した光・磁気複合ヘッドが必要となる。以下に、上記光ヘッドと磁気ヘッド１０を一体化した光・磁気複合ヘッドに無線通信手段１が備えられている例について説明する。以下に、無線通信手段１がＭＭＩＣにより構成されている場合について説明する。
【０１１０】
具体的には、例えば、図７に示すように、無線通信手段１（ＭＭＩＣ）を貼りあわせることにより光・磁気複合ヘッドを形成する場合について説明する。この場合、実施の形態１でも説明したように、磁気ヘッド１０のスライダ上にＭＭＩＣを実装することが可能である。そして、磁気ヘッド１０に隣接するように光ヘッド１７が配置されている。そして、上記ＭＭＩＣと磁気ヘッド１０および上記ＭＭＩＣと光ヘッド１７とがそれぞれ配線されている。このとき、ＭＭＩＣからそれぞれのヘッドまでの配線の長さは１ｍｍ以下とすることができる。従って、従来と比べて、ＭＭＩＣからそれぞれのヘッドまでの配線の長さを著しく短くすることができる。このように上記配線の長さを１ｍｍ以下にできることにより、より高い周波数（例えば、３ｄＢの信号劣化までを許容範囲とすれば、３０ＧＨｚ程度）の信号を劣化させることなくやり取りすることが可能である。
【０１１１】
次に、ＭＭＩＣをそれぞれのヘッドに対してモノリシックに形成する例について図８を参照して説明する。ここで説明する光・磁気複合ヘッドではＭＭＩＣ、光ヘッド１７、磁気ヘッド１０の順に形成される。熱磁気記録においては媒体での光照射領域（昇温領域）と磁気記録再生領域を一致させることが重要であるが、このような構成をとることにより、光ヘッド１７と磁気ヘッド１０の間の距離を不要に増大させることなくＭＭＩＣを実装することが可能になる。なお、上記の説明のように、光・磁気複合ヘッドをＭＭＩＣ、光ヘッド１７、磁気ヘッド１０の順で形成する場合には光ヘッド１７の一部として青紫色ＬＤを使用することが好ましい。上記実施の形態２で説明したように、赤色ＬＤと青紫色ＬＤとでは、形成条件が異なる。上記の順番により、光・磁気複合ヘッドを形成する場合において、赤色ＬＤを使用すると、形成工程において、赤色ＬＤにダメージが残ることとなる。
【０１１２】
また、ＬＤを形成する際の基板９を、そのまま、磁気ヘッド１０のスライダとして使うには、強度などの点からサファイアが望ましい。なお、ＧａＮを基板９として用いてＭＭＩＣ、光ヘッド１７および磁気ヘッドの記録再生素子２（以下、磁気記録再生部と称する）を形成した後に、これらを他の材料からなるスライダに実装することも可能である。この場合には、ＭＭＩＣと光ヘッド１７とを順に形成した後で再生ヘッド、記録ヘッドの順に磁気ヘッド１０の磁気記録再生部を形成する。この場合には、磁気記録再生部としては、通常用いられる金属強磁性体からなる巨大磁気抵抗ヘッドやトンネル磁気抵抗ヘッドを用いることが可能である。また、半導体基板上にエピタキシャル成長可能な金属化合物強磁性体（例えば、ＭｎＳｂ）を形成したものなどを用いること可能である。上記半導体基板上に形成した金属化合物強磁性体を用いた場合には、結晶成長の整合性がとれ、素子作製上の観点から好ましい場合がある。
【０１１３】
このようにして形成した、ＭＭＩＣを備えた光・磁気複合ヘッドを用いて記録再生及びデータ転送レートのテストを行う。ここで形成したＭＭＩＣは動作周波数が２．４ＧＨｚと５ＧＨｚとの周波数の異なる無線通信を可能とするものであり、２．４ＧＨｚの周波数を光ヘッド１７、５ＧＨｚの周波数を磁気の磁気記録再生部に割り当てて使用する。これにより、全く再生波形の歪みはなくデータ転送レートの向上が実現される。なお、上記磁気記録再生部と光ヘッド１７とで無線通信に使用する周波数を変えることにより混信を防ぐことができる。すなわち、光ヘッド１７と磁気ヘッド１０とで、異なる周波数の帯域を使用することで、それぞれの信号同士が干渉することを防止できる。
【０１１４】
以上説明したように本発明による記録・再生を行う情報を無線通信により行う無線通信手段１を備えた光・磁気複合ヘッドは、より高い記録再生速度やデータ転送レートの向上を実現することが可能となる。
【０１１５】
また、光ヘッド及び光・磁気複合ヘッドにおいては、磁気ヘッドと比べて、配線が増えることから、浮上ヘッドへの実装が困難になるという問題がある。しかしながら、本発明の構成とすることにより、従来と比べて、配線の本数を少なくすることができる。これにより、浮上型の光ヘッドおよび光・磁気複合ヘッドが簡単に実現できる。
【０１１６】
【発明の効果】
本発明の記録再生ヘッドは、以上のように、情報の送受信を無線通信により行う無線通信手段を備える構成である。
【０１１７】
それゆえ、情報処理手段との間で、記録情報および再生情報を高速にやり取りすることができる記録再生ヘッドを提供することができる。すなわち、配線長に起因する信号劣化なく高い記録再生速度やデータ転送レートの向上を実現する記録再生ヘッドとそれを用いた記録再生装置を実現できるという効果を奏する。
【０１１８】
本発明の記録再生ヘッドは、さらに、上記記録再生素子は、磁場により、情報の記録・再生を行うようになっていることにより、記録再生速度およびデータ転送速度の高速化を実現することができる磁気ヘッド（記録再生ヘッド）を提供することができる。
【０１１９】
本発明の記録再生ヘッドは、さらに、上記記録再生素子は、光または熱により情報の記録・再生を行うようになっていることにより、従来の記録再生ヘッドと比べて、記録再生ヘッドと情報処理手段との間を接続している配線をより少なくすることができるので、浮上型の光ヘッド（記録再生ヘッド）の実現がより容易になる。
【０１２０】
本発明の記録再生ヘッドは、さらに、上記記録再生素子は、磁場と光または熱とにより情報の記録・再生を行うようになっていることにより、より高速の記録再生やデータ転送レートを可能にする光・磁気複合ヘッドおよびそれを用いた記録再生装置を提供することができる。
【０１２１】
本発明の記録再生ヘッドは、さらに、上記無線通信手段がモノリシックマイクロ波集積回路により形成されてなる構成とすることにより、簡単に記録再生ヘッドに備えられる無線通信手段を構成することができる。
【０１２２】
本発明の記録再生ヘッドは、さらに、記録再生プリアンプを備えている構成とすることにより、より小型化され、かつ、高速の記録再生やデータ転送レートを可能にする、記録再生ヘッドおよび記録再生装置を提供することができる。
【０１２３】
本発明の記録再生ヘッドは、さらに、無線通信手段が上記記録再生素子に貼着されている構成とすることにより、より簡単に、本発明の記録再生ヘッドを作製することが可能となる。
【０１２４】
本発明の記録再生ヘッドは、さらに、上記無線通信手段が上記記録再生素子と一体的に形成されてなる構成とすることにより、より小型化した記録再生ヘッドを実現できる。
【０１２５】
本発明の記録再生ヘッドは、さらに、上記記録再生素子および無線通信手段の少なくとも一方への給電を無線通信により行うための受電部が設けられていることにより、記録再生ヘッドから延びる配線の本数をより減らすことができる。また、記録再生素子および無線通信手段の両方への給電を無線通信で行うことにより、記録再生ヘッドから延びる配線を無くすことが可能になる。
【０１２６】
本発明の記録再生装置は、以上のように、記録再生素子により媒体に情報の記録・再生を行う記録再生ヘッドを備えた記録再生装置であって、上記記録再生ヘッドは、上記情報の送受信を無線通信により行う無線通信手段を備えており、上記記録再生装置は、上記無線通信手段との間で、無線通信にて情報のやり取りを行う第２無線通信手段を備える構成である。
【０１２７】
それゆえ、情報を無線通信でやり取りすることにより、従来の配線（有線）で情報のやり取りを行う構成に比べて、特に高周波成分の情報（信号）の劣化（信号の歪み）を抑制することができる。従って、記録再生速度やデータ転送速度の高速化を図ることができるという効果を奏する。
【０１２８】
本発明の記録再生装置は、さらに、上記記録再生ヘッドが、磁気と熱または光とにより、情報の記録・再生を行う光・磁気複合ヘッドであり、磁気ヘッドとの無線通信と光ヘッドとの無線通信とで異なる周波数を割り当てる構成とすることにより、情報（信号）の干渉（混線）を防止することができる。
【０１２９】
本発明の記録再生装置は、さらに、外部と電磁遮蔽されている構成とすることにより、例えば、周囲のコンピュータ機器や無線機器との信号の干渉を防止することができる。
【図面の簡単な説明】
【図１】本発明の無線通信手段を備える磁気ヘッドの構成を示す側面図である。
【図２】本発明の無線通信手段を備える磁気ヘッドを備える記録再生装置の構成を示した平面図である。
【図３】無線通信手段が内部に設置され、電磁シールドされた記録再生装置の筐体を示した斜視図である。
【図４】上蓋がアクリル板からなる電磁シールドされていない記録再生装置の筐体を示した斜視図である。
【図５】光ヘッドにおけるＭＭＩＣ、ＬＤの順に形成したモノリシック構造の断面図である。
【図６】光ヘッドにおけるＬＤ、ＭＭＩＣの順に形成したモノリシック構造の断面図である。
【図７】貼りあわせにて無線通信手段を形成した光・磁気複合ヘッドの構成を示す側面図である。
【図８】モノリシックに光ヘッドと無線通信手段と磁気ヘッドとを形成した光・磁気複合ヘッドの概略図である。
【図９】従来の配線された磁気ヘッドと記録再生プリアンプとの構成を示す平面図である。
【図１０】従来の記録再生装置の構成を示す平面図である。
【図１１】従来の磁気ヘッドの構成を示す側面図である。
【符号の説明】
１　ＭＭＩＣ（無線通信手段）
２　記録再生素子
３　配線
５　サスペンション
１０　磁気ヘッド
１７　光ヘッド
２０　情報処理回路
２１　媒体
２２　筐体
【図１】
2004046940.tif 000003
【図２】
2004046940.tif 000004
【図３】
2004046940.tif 000005
【図４】
2004046940.tif 000006
【図５】
2004046940.tif 000007
【図６】
2004046940.tif 000008
【図７】
2004046940.tif 000009
【図８】
2004046940.tif 000010
【図９】
2004046940.tif 000011
【図１０】
2004046940.tif 000012
【図１１】
2004046940.tif 000013